(57)【特許請求の範囲】
【請求項１】
切削装置としての回転駆動されるカッタドラムを備え、切削を行うカッタビットを、前記カッタドラム側のホルダに着脱自由に装着した構成の舗装体の切削機において、
前記ホルダの一端部を前記カッタドラム外周面に回動自由に支持する一方、前記ホルダの他端部を前記カッタドラム外周面に対して高さ調整手段を介して高さ調整可能に取り付けたことを特徴とする舗装体の切削機。
【請求項２】
前記高さ調整手段は、前記カッタドラム外周面とホルダの他端部との間に介在される種々の厚さを有する複数種のスペーサからなり、前記カッタドラム外周面にホルダの他端部を前記スペーサを介して着脱自由に取り付ける取付手段を備えたことを特徴とする請求項１記載の舗装体の切削機。
【請求項３】
前記取付手段は、ボルトであることを特徴とする請求項２記載の舗装体の切削機。
【請求項４】
請求項１〜３のうちいずれか１つに記載の切削機を用いた湾曲傾斜面の切削工法であって、
前記切削機を、環状に連続する湾曲傾斜面の面の連続する方向に沿った所定幅毎に、湾曲傾斜面の上部から下部、下部から上部に縦方向に交互に走行させて切削を行うことを特徴とする湾曲傾斜面の切削工法。
【請求項５】
請求項１〜３のうちいずれか１つに記載の切削機を用いた湾曲傾斜面の切削工法であって、
前記切削機を、環状に連続する湾曲傾斜面の面の連続する方向と直行する方向に沿った所定幅毎に、湾曲傾斜面の面の連続する方向に走行させて切削を行うことを特徴とする湾曲傾斜面の切削工法。
【発明の詳細な説明】
【０００１】
【発明の属する技術分野】
本発明は、舗装体の切削装置及び切削方法に関し、特に、テストコース等のバンク等のように環状に連続するような湾曲傾斜面の切削を行う切削装置とこの切削装置を用いた湾曲傾斜面の切削方法に関する。
【０００２】
【従来の技術】
従来、切削装置を備えた切削機によって土やアスファルト舗装体等を切削し、これを切削機に装備されたコンベアによってダンプ等の運搬車へ搬送する切削工法が知られている。
上記のような切削機は、切削装置としてのカッタドラムを備えている。
【０００３】
このカッタドラムは、動力がエンジンからクラッチ、Ｖベルトやチェーンを介して伝達される機械式で駆動され、切削の状況に応じて回転速度を可変できるようになっいている。
図８に示すように、切削を行う超硬合金製ビット（カッタビット）１は、例えば、ドラム２に溶接されたホルダ３に装着されており、エアレンチ等を使用することにより簡単に交換可能となっている。
【０００４】
【発明が解決しようとする課題】
ところで、従来の切削装置における超硬合金製ビットは、切削面の高さを一定に保つため、各々その高さが一定となるようにセットされる。
しかしながら、図８に示すように、従来の切削装置におけるカッタビット１のように高さが一定となるようにセットされ、切削面の高さが一定に保たれるものでは、図９に示すように、例えばテストコースのバンク等の如く環状に連続する湾曲傾斜面に対しては切削工法を行うことができないのが実情である。
【０００５】
本発明は、以上のような従来の実情に鑑みてなされたもので、カッタビットの高さを可変調整し得る構成とすることにより、テストコースのバンク等のように環状に連続する湾曲傾斜面においても、切削工法を実行することができる切削機を提供することを目的とする。
又、かかる切削機を用いた湾曲傾斜面の切削工法を提供することを目的とする。
【０００６】
【課題を解決するための手段】
上記の目的を達成するため、請求項１に係る発明の舗装体の切削機は、
切削装置としての回転駆動されるカッタドラムを備え、切削を行うカッタビットを、前記カッタドラム側のホルダに着脱自由に装着した構成の舗装体の切削機において、
前記ホルダの一端部を前記カッタドラム外周面に回動自由に支持する一方、前記ホルダの他端部を前記カッタドラム外周面に対して高さ調整手段を介して高さ調整可能に取り付けたことを特徴とする。
【０００７】
請求項２に係る発明は、
前記高さ調整手段は、前記カッタドラム外周面とホルダの他端部との間に介在される種々の厚さを有する複数種のスペーサからなり、前記カッタドラム外周面にホルダの他端部を前記スペーサを介して着脱自由に取り付ける取付手段を備えたことを特徴とする。
【０００８】
請求項３に係る発明は、
前記取付手段は、ボルトであることを特徴とする。
【０００９】
請求項４に係る発明の湾曲傾斜面の切削工法は、
請求項１〜３のうちいずれか１つに記載の切削機を用いた湾曲傾斜面の切削工法であって、
前記切削機を、環状に連続する湾曲傾斜面の面の連続する方向に沿った所定幅毎に、湾曲傾斜面の上部から下部、下部から上部に縦方向に交互に走行させて切削を行うことを特徴とする。
【００１０】
請求項５に係る発明は、
請求項１〜３のうちいずれか１つに記載の切削機を用いた湾曲傾斜面の切削工法であって、
前記切削機を、環状に連続する湾曲傾斜面の面の連続する方向と直行する方向に沿った所定幅毎に、湾曲傾斜面の面の連続する方向に走行させて切削を行うことを特徴とする。
【００１１】
【発明の実施の形態】
以下、本発明の実施形態を図面に基づいて説明する。
先ず、本発明の切削機の一実施形態の構成を図１〜図５に基づいて説明する。
切削機１０は、自走車両１１に、切削装置１２として、回転駆動されるカッタドラムを備え、切削を行うカッタビットを、前記カッタドラム側のホルダに着脱自由に装着して構成される。
【００１２】
ここで、前記ホルダは、カッタドラム外周面に対して高さ調整手段を介して高さ調整可能に取り付けられる。
第１の実施形態において、前記高さ調整手段は、図１に示すように、カッタドラム１３外周面とカッタビット１６を装着したホルダ１４との間に介在される種々の厚さを有する複数種のスペーサ１５からなり、前記カッタドラム１３外周面にホルダ１４を前記スペーサ１５を介して着脱自由に取り付ける取付手段としてボルト１７が備えられている。
【００１３】
この場合、スペーサ１５は、カッタドラム１３外周面に沿って若干湾曲形成され、その両端部にボルト１７の挿通孔１５ａが形成される。
又、前記ホルダ１４の両端部にも、スペーサ１５のボルト挿通孔１５ａ位置と合致するボルト挿通孔１４ａが形成され、ホルダ１４とスペーサ１５のボルト挿通孔１４ａ，１５ａに挿通されたボルト１７がカッタドラム１３にねじ嵌合されて、ホルダ１４とスペーサ１５とをカッタドラム１３に締結する。
【００１４】
第２の実施形態において、図２に示すように、ホルダ１４の一端部は、前記カッタドラム１３外周面に回動自由に支持される一方、前記高さ調整手段は、前記カッタドラム１３外周面とホルダ１４の他端部との間に介在される種々の厚さを有する複数種のスペーサ１８からなり、前記カッタドラム１３外周面にホルダ１４の他端部を前記スペーサ１８を介して着脱自由に取り付ける取付手段としてボルト１９が備えられている。
【００１５】
この場合、ホルダ１４の一端部は、ヒンジピン２０を介してカッタドラム１３外周面に回動自由に支持される。
又、スペーサ１８は、円筒状に形成され、中心部にボルト１９の挿通孔１８ａが形成される。
更に、前記ホルダ１４の他端部にも、スペーサ１８のボルト挿通孔１８ａ位置と合致するボルト挿通孔１４ａが形成され、ホルダ１４とスペーサ１８のボルト挿通孔１４ａ、１８ａに挿通されたボルト１９がカッタドラム１３にねじ嵌合されて、ホルダ１４とスペーサ１８とをカッタドラム１３に締結する。
【００１６】
図３は、第２の実施形態の変形例を示しており、図２のものとは、カッタビット１６の取付方向が異なっている。
以上の構成の切削機１０は、ホルダ１４をカッタドラム１３外周面に対して高さ調整可能に取り付けることによって、切削面の高さを変化させるべく、カッタビット１６の高さが調整され、湾曲傾斜面の切削が可能となる。
【００１７】
この場合、例えば、図５に示すような形態の湾曲傾斜面を切削高さＴにて切削する場合、同図に示すように、カッタドラム１３の軸方向に沿って各カッタビット１６の高さを変化させる。
次に、以上の構成の切削機を用いた湾曲傾斜面の切削工法について説明する。
第１の実施形態の切削工法は、図６に示すように、切削機１０を、例えばテストコースの環状に連続する湾曲傾斜面の面の連続する方向に沿った所定幅Ａ毎に、湾曲傾斜面の上部から下部、下部から上部に縦方向に交互に走行させて切削を行う。
【００１８】
第２の実施形態の切削工法は、図７に示すように、切削機１０を、例えばテストコースの環状に連続する湾曲傾斜面の面の連続する方向と直行する方向に沿った所定幅Ｂ毎に、湾曲傾斜面の面の連続する方向に走行させて切削を行う。
尚、両実施形態ともに、切削機１０は、上部からウインチ２１等によって吊り下げ支持して走行させるか、或いは、下部から押し上げて走行させる。
【００１９】
かかる切削工法によれば、例えばテストコースの環状に連続する湾曲傾斜面を効率良く、かつ適正に切削することができる。
【００２０】
【発明の効果】
以上説明したように、請求項１〜３に係る発明によれば、切削機において、ホルダをカッタドラム外周面に対して高さ調整可能に取り付けることによって、切削面の高さを変化させるべく、カッタビットの高さが調整され、テストコースのバンク等のように環状に連続した湾曲傾斜面の切削が可能となる。
【００２１】
請求項４及び５に係る発明によれば、例えばテストコースのバンク等の環状に連続する湾曲傾斜面を効率良く、かつ適正に切削することができる。
【図面の簡単な説明】
【図１】  本発明の舗装体の切削機の切削装置の第１の実施形態を示す側面図
【図２】  同上の第２の実施形態を示す側面図
【図３】  同上の第２の実施形態の変形例を示す側面図
【図４】  同上の切削機の側面図
【図５】  第１の実施形態におけるカットビット高さと切削高さの設定例を示す概略図
【図６】  本発明の切削工法の第１の実施形態を示す概略斜視図
【図７】  本発明の切削工法の第２の実施形態を示す概略斜視図
【図８】  従来の切削装置におけるカットビット高さと切削高さの設定例を示す概略図
【図９】  テストコースの概略を示す図で、（Ａ）は平面図、（Ｂ）は（Ａ）中Ａ−Ａ断面図
【符号の説明】
１０  切削機
１３  カッタドラム
１４  ホルダ
１５  スペーサ
１６  カッタビット
１７  ボルト
１８  スペーサ
１９  ボルト
２０  ヒンジピン
【図１】
0004011199.tif 000002
【図２】
0004011199.tif 000003
【図３】
0004011199.tif 000004
【図４】
0004011199.tif 000005
【図５】
0004011199.tif 000006
【図６】
0004011199.tif 000007
【図７】
0004011199.tif 000008
【図８】
0004011199.tif 000009
【図９】
0004011199.tif 000010